(57)【要約】【課題】光ディスクのチャッキングを確実に行う。【解決手段】装置本体３と、光ディスク２を搬送するディスク搬送機構６０と、ターンテーブル４７と、ターンテーブル４７上に光ディスク２を係止する係止突部４８ａとを備えるディスク回転駆動機構４２と、ターンテーブル４７を、装置本体３のトップカバー５側に回動傾斜させて光ディスク２を係止突部４８ａにチャッキングさせるチャッキング位置と、装置本体３のボトムケース４側に回動傾斜させて光ディスク２のチャッキングを解除するチャッキング解除位置と、光ディスク２を回転駆動する中間位置とに亘って昇降させる昇降機構９０と、トップカバー５に凸設され、チャッキング位置に回動傾斜されたターンテーブル４７とともに光ディスク２を挟持して光ディスク２を係止突部４８ａに係止させるチャッキングプレート７とを備え、チャッキングプレート７は、チャッキング位置へ回動傾斜されたターンテーブル４７と平行な傾斜面７ａを有する。【選択図】図４
2006065956.tif 000002
【特許請求の範囲】
【請求項１】
ボトムケース及びトップカバーからなる装置本体と、
光ディスクを上記装置本体内外に亘って搬送するディスク搬送機構と、
上記装置本体内に搬送された光ディスクを回転可能に保持するターンテーブルと、上記ターンテーブル上に上記光ディスクを係止する係止突部とを備えるディスク回転駆動機構と、
上記ターンテーブルを、上記トップカバー側に回動傾斜させて上記光ディスクを上記係止突部にチャッキングさせるチャッキング位置と、上記ボトムケース側に回動傾斜させて上記光ディスクのチャッキングを解除すると共に上記係止突部を上記光ディスクの搬送領域から退避させるチャッキング解除位置と、上記チャッキング位置とチャッキング解除位置の間に回動させて上記光ディスクを回転駆動する中間位置とに亘って昇降させる昇降機構と、
上記トップカバーに上記ターンテーブルと対向して凸設され、上記チャッキング位置に回動傾斜された上記ターンテーブル上に載置された上記光ディスクを上記ターンテーブルとともに挟持することによって上記光ディスクを上記係止突部に係止させるチャッキングプレートと、
上記光ディスクに対して情報信号の記録及び／又は再生を行う光ピックアップと、
上記光ピックアップを上記光ディスクの径方向に亘って移動するピックアップ移動機構とを備え、
上記チャッキングプレートは、上記チャッキング位置へ回動傾斜された上記ターンテーブルと平行な傾斜面が設けられていることを特徴とするディスク記録及び／又は再生装置。
【請求項２】
上記チャッキングプレートは、上記トップカバーと一体又は別体に設けられていることを特徴とする請求項１記載のディスク記録及び／又は再生装置。
【請求項３】
上記ディスク搬送機構、上記ディスク回転駆動機構、上記光ピックアップ、及び上記ピックアップ移動機構はベースに一体に組み付けられ、該ベースの一端が上記ボトムケースに回動自在に支持されたベースユニットを構成し、
上記昇降機構は、上記ベースユニットの他端を上記ボトムケース及びトップカバー側に回動操作することを特徴とする請求項１記載のディスク記録及び／又は再生装置。
【発明の詳細な説明】
【技術分野】
【０００１】
本発明は、光ディスクに対して情報信号の記録及び／又は再生を行うディスク記録及び／又は再生装置に関し、特に光学ディスクのチャッキング操作を確実に行うことができるディスク記録及び／又は再生装置に関する。
【背景技術】
【０００２】
光学ディスクとしては、従来よりＣＤ(Compact Disk)やＤＶＤ(Digital Versatile Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、装置本体に設けられた蓋や扉を開放し、そこから臨むターンテーブルにディスクを直接装着するタイプ、装置本体から水平方向に出し入れされるディスクトレイにディスクを載置することで、ディスクトレイが引き込まれた際にディスクが内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、装置本体の前面に設けられたディスク挿脱口からディスクを挿入するだけでディスクが自動的にターンテーブルに装着される、いわゆるスロットイン型のディスクドライブ装置がある。このディスクドライブ装置では、ディスク挿脱口からディスクが挿入されると、互いに対向する一対のガイドローラの間にディスクを挟み込みながら、これら一対のガイドローラを互いに逆向きに回転させることによって、ディスク挿脱口から挿入されたディスクを装置本体の内部へと引き込むローディング動作と、このディスク挿脱口からディスクを装置本体の外部へと排出するイジェクト動作とを行う。
【０００５】
ところで、ディスクドライブ装置が搭載される、例えばノート型パーソナルコンピュータ等のモバイル機器では、更なる小型軽量薄型化が求められており、それに伴うディスクドライブ装置の小型軽量薄型化の要求も高まっている。また、近年では、パーソナルコンピュータ等で主流であったトレイ型のディスクドライブ装置よりも、操作感のよいスロットイン型のディスクドライブ装置の需要が高まっている。
【０００６】
しかしながら、スロットイン型のディスクドライブ装置では、上述した一対のガイドローラの長さがディスクの直径よりも長くなることから、装置全体の幅方向の寸法が長くなる。また、一対のガイドローラの間にディスクを挟み込むことから、厚み方向の寸法も長くなる。このため、従来のスロットイン型のディスクドライブ装置では、小型化や薄型化に非常に不利であった。
【０００７】
特に、ノート型パーソナルコンピュータ等に搭載される超薄型のディスクドライブ装置は、厚さ１２．７ｍｍが標準サイズとされており、更にハードディスクドライブ（ＨＤＤ）ユニットと同等の厚みである９．５ｍｍまで薄型化された場合には、このようなガイドローラをそのまま転用することは寸法上非常に困難となる。
【０００８】
そこで、スロットイン型のディスクドライブ装置では、小型化や薄型化の要求に応えるため、ディスク挿脱口から挿入されたディスクと、このディスクが装着されるターンテーブルが取り付けられたベースとの間に複数の回動アームを配置し、これら回動アームを当該ディスクと平行な面内で回動させながら、ディスクをディスク挿脱口から装置本体の内部へと引き込むローディング動作と、ディスクをディスク挿脱口から装置本体の外部へと排出するイジェクト動作とを行うディスクドライブ装置が提案されている（例えば、特許文献１を参照。）。
【０００９】
また、この種のディスクドライブ装置は、光ディスクを回転自在に保持するターンテーブル及び光ディスクの中心孔に係合される係合突部とが設けられたディスク装着部と、ディスク装着部を光ディスクの搬送領域より退避させるチャッキング解除位置、ディスク装着位置に搬送された光ディスクをディスク装着部にチャッキングさせるチャッキング位置及び、光ディスクに対して情報信号の記録又は再生を行う中間位置との間で昇降操作を行う昇降機構とを備える。
【００１０】
昇降機構は、光ディスクが装置本体内に搬送される前の状態では、ターンテーブルを光ディスクの搬送領域から下方に退避させたチャッキング解除位置に回動して光ディスクの搬送を待機している。そして昇降機構は、回動アームによって光ディスクが装置本体内へ搬送されると、ターンテーブルをディスク装着位置に上昇させて装置本体の上面に設けられたチャッキングプレートとで光ディスクを挟持し、係合突部を光ディスクの中心孔に係合させることにより、光ディスクをターンテーブル上にチャッキングさせる。次いで、昇降機構は、ターンテーブルを光ディスクに対して情報信号の記録又は再生を行う中間位置まで回動させる。
【００１１】
また、光ディスクを係合する係合突部２０２は、図２９に示すように、ターンテーブル２０１の中心部に突出形成され、係合された光ディスク２０３の中心孔２０３ａの周囲を係止する複数の係止爪２０４が形成されている。係止爪２０４は、係合突部２０２が光ディスク２０３の中心孔２０３ａを挿通する際に、中心孔２０３ａの周面に押圧されて押し下げられ、ディスク上面側へ突出することにより中心孔２０３ａよりも外方に突出して光ディスク２０３をターンテーブル２０１上に係止する。
【００１２】
しかし、図示を省略する昇降機構によりチャッキング位置に上昇されたターンテーブル２０１は、装置本体の上面に対して傾斜しているため、係合突部２０２が光ディスク２０３の中心孔２０３ａに挿通する挿通深さにバラツキが生じてしまう。すなわち、ターンテーブル２０１は、昇降機構によって装置本体上面側に上昇されることによりチャッキング位置に回動傾斜され、これにより光ディスク２０３を装置本体上面に設けられたチャッキングプレート２０５と挟持して、係合突部２０２を光ディスク２０３の中心孔２０３ａに挿通させる。このとき係合突部２０２は、昇降機構に支持されたターンテーブル２０１の一端側２０１ａが、該一端側２０１ａと対向する先端側２０１ｂに比して、光ディスク２０３の中心孔２０３ａに挿通する深さが浅くなるため、一端側２０１ａに設けられた係止爪２０４ａが光ディスク２０３の中心孔２０３ａの周面に押し下げられたままディスク上面に突出されず、光ディスク２０３をチャッキングすることができない場合がある。特に厚さが厚くされた光ディスクにおいてはチャッキングミスが生じる可能性が高い。
【００１３】
【特許文献１】特開２００２−１１７６０４号公報
【発明の開示】
【発明が解決しようとする課題】
【００１４】
そこで、本発明は、昇降機構によって回動傾斜されたターンテーブルの係合突部を光ディスクの中心孔に挿通させ、光ディスクのチャッキングを確実に行うディスク記録及び／又は再生装置を提供することを目的とする。
【課題を解決するための手段】
【００１５】
上述した課題を解決するために、本発明にかかるディスク記録及び／又は再生装置は、ボトムケース及びトップカバーからなる装置本体と、光ディスクを上記装置本体内外に亘って搬送するディスク搬送機構と、上記装置本体内に搬送された光ディスクを回転可能に保持するターンテーブルと、上記ターンテーブル上に上記光ディスクを係止する係止突部とを備えるディスク回転駆動機構と、上記ターンテーブルを、上記トップカバー側に回動傾斜させて上記光ディスクを上記係止突部にチャッキングさせるチャッキング位置と、上記ボトムケース側に回動傾斜させて上記光ディスクのチャッキングを解除すると共に上記係止突部を上記光ディスクの搬送領域から退避させるチャッキング解除位置と、上記チャッキング位置とチャッキング解除位置の間に回動させて上記光ディスクを回転駆動する中間位置とに亘って昇降させる昇降機構と、上記トップカバーに上記ターンテーブルと対向して凸設され、上記チャッキング位置に回動傾斜された上記ターンテーブル上に載置された上記光ディスクを上記ターンテーブルとともに挟持することによって上記光ディスクを上記係止突部に係止させるチャッキングプレートと、上記光ディスクに対して情報信号の記録及び／又は再生を行う光ピックアップと、上記光ピックアップを上記光ディスクの径方向に亘って移動するピックアップ移動機構とを備え、上記チャッキングプレートは、上記チャッキング位置へ回動傾斜された上記ターンテーブルと平行な傾斜面が設けられているものである。
【発明の効果】
【００１６】
このようなディスク記録及び／又は再生装置によれば、チャッキングプレートのターンテーブルと対向する面に傾斜面が形成されているため、この傾斜面がターンテーブルと共に回動傾斜された光ディスクに平行に当接し、ターンテーブルとともに光ディスクを均等な力で挟持することができる。したがって、ターンテーブルの係合突部は、光ディスクの中心孔に均等の深さで挿通し、係合突部に形成された複数の係止爪はいずれもディスク上面に突出して光ディスクの中心孔の周囲を係止する。これにより本発明は、光ディスクを確実にターンテーブル上にチャッキングすることができる。
【発明を実施するための最良の形態】
【００１７】
以下、本発明が適用されたディスク記録及び／又は再生装置について図面を参照しながら詳細に説明する。本発明を適用したディスクドライブ装置は、例えば図１に示すように、ノート型パーソナルコンピュータ１０００の装置本体１００１に搭載されたスロットイン型のディスクドライブ装置１である。このディスクドライブ装置１は、図２に示すように、例えば１２．７ｍｍ程度にまで装置全体が薄型化された構造を有しており、ＣＤ(Compact Disk)やＤＶＤ(Digital Versatile Disk)といった光ディスク２に対して情報信号の記録・再生を行うことが可能となっている。また、このディスクドライブ装置１は、標準サイズである直径１２ｃｍのディスク（以下、大径ディスクという。）と、この大径ディスクよりも小径の直径８ｃｍのディスク（以下、小径ディスクという。）とに対応可能となっている。
【００１８】
このディスクドライブ装置１は、図２に示すように、装置本体の外筐となる筐体３を備え、この筐体３は、下部筐体である略扁平箱状のボトムケース４と、このボトムケース４の上部開口部を覆う天板であるトップカバー５とから構成されている。
【００１９】
トップカバー５は、図２及び図３に示すように、薄い板金からなり、ボトムケース４の上部開口部を閉塞する天板部５ａと、この天板部５ａの周囲がボトムケース４の両側面に沿って僅かに折り曲げられた一対の側板部５ｂとを有している。天板部５ａの略中央部には、略円形状の開口部６が形成されている。この開口部６は、後述するチャッキング動作時に光ディスク２の中心孔２ａに係合されるターンテーブル４７の係合突部４８ａを外部に臨ませるためのものである。また、天板部５ａの開口部６の周囲は、ターンテーブル４７上に載置された光ディスク２の中心孔２ａの周囲と当接することにより光ディスク２を押圧しターンテーブル４７へのチャッキングを行うチャッキングプレート７が、筐体３の内側に向かって僅かに突出形成されている。
【００２０】
天板部５ａの内側の主面には、後述する第１の回動アーム６１の先端部と第２の回動アーム６２の先端部とを高さ方向に規制しながら、互いに近接又は離間する方向に案内するガイド部材８が設けられている。このガイド部材８は、天板部５ａの両側板部５ｂの間に亘って略円弧状をなす板金からなり、天板５ａの前面側にスポット溶接等により取り付けられている。また、このガイド部材８は、背面側が前面側の取付面よりも一段高くなされた段差部８ａを有している。これにより、ガイド部材８の背面側の段差部８ａと天板部５ａとの間には、第１の回動アーム６１の先端部及び第２の回動アーム６２の先端部が係合されるガイド溝９が形成されている。また、天板部５ａには、このガイド溝９に第１の回動アーム６１の先端部と第２の回動アーム６２の先端部とを係合させるための作業用の窓部１０がそれぞれ設けられている。
【００２１】
この天板部５ａの開口部６の周囲に設けられたチャッキングプレート７は、図４に示すように、筐体３の内側へ突出して形成されるとともに、ターンテーブル４７と対向する面がこのターンテーブル４７が光ディスク２のチャッキング位置へ回動傾斜されたときの当該ターンテーブル４７と平行となるように傾斜角度が設けられた傾斜面７ａが形成されている。また、チャッキングプレート７は、ターンテーブル４７を保持するベース４５の回動支点側から当該回動支点側と反対の先端側にかけて厚さが漸次減少するように形成され、チャッキング位置へ回動傾斜されたターンテーブル４７と平行とされている。
【００２２】
これによりチャッキングプレート７は、ベース昇降機構９０によってターンテーブル４７を保持するベース４５がチャッキング位置まで上昇されると、傾斜面７ａとターンテーブル４７とで、ディスク装着位置に位置決めされた光ディスク２の中心孔２ａの周辺部を均等な力で挟持し、係合突部４８ａを光ディスク２の中心孔２ａ内に挿通させることができる。すなわち、チャッキングプレート７は、ターンテーブル４７のディスク装着位置と対向する面に、ベース４５の回動支点側から先端側にかけて厚さが減少していく上記傾斜面７ａが形成されているため、ターンテーブル４７とともに回動傾斜された光ディスク２と平行に当接し、ターンテーブル４７とともに中心孔２ａの周辺部を均等な力で挟持することができる。したがって、ターンテーブル４７の係合突部４８ａが光ディスク２の中心孔２ａに挿通する深さがベース４５の回動支点側と当該回動支点側と反対側の先端側とで等しくなり、係合突部４８ａに形成された複数の係止爪４８ｂがいずれもディスク上面に突出して光ディスク２の中心孔２ａの周囲を係止し、確実に光ディスク２をターンテーブル４７上にチャッキングすることができる。
【００２３】
なお、チャッキングプレート７は、トップカバー５の開口部６周辺に接着することにより形成してもよく、またトップカバー５と一体に形成してもよい。
【００２４】
ボトムケース４は、図５に示すように、略扁平箱状に形成された板金からなり、その底面部は、略矩形状であり、一方の側面部には、この底面部よりも底上げされて外側へと張り出したデッキ部４ａが設けられている。また、ボトムケース４の底面部には、図示を省略するが、駆動制御回路を構成するＩＣチップ等の電子部品や、各部の電気的な接続を図るためのコネクタ、各部の動作を検出するための検出スイッチ等が配置された回路基板がネジ止め等により取り付けられている。また、ボトムケース４の底面部には、シャーシ１１がネジ止めにより取り付けられている。このシャーシ１１は、回路基板の上方において、ボトムケース４の内部を上記デッキ部４ａと略同等の高さで上下に仕切るように配置されている。
【００２５】
そして、このボトムケース４には、図２に示すように、上記トップカバー５がネジ止めにより取り付けられている。具体的に、天板部５ａの外周縁部には、図３に示すように、ネジ１２を貫通させる複数の貫通孔１３が形成されている。また、両側の側板部５ｂには、内側に略直角に折り曲げられた複数のガイド片１４が設けられている。一方、ボトムケース４の外周縁部には、図５に示すように、内側に略直角に折り曲げられた複数の固定片１５が設けられており、これら固定片１５には、トップカバー５の貫通孔１３に対応したネジ孔１６が形成されている。また、ボトムケース４の両側面部には、トップカバー５の複数のガイド片１４の抜け止めとなる複数のガイドスリット１７が形成されている。
【００２６】
そして、ボトムケース４にトップカバー５を取り付ける際は、ボトムケース４の複数のガイドスリット１７にトップカバー５の複数のガイド片１４を係合させた状態で、トップカバー５を前面側から背面側へとスライドさせる。これにより、トップカバー５の天板部５ａがボトムケース４の上部開口部を閉塞した状態となる。そして、この状態でトップカバー５の複数の貫通孔１３を通してボトムケース４のネジ孔１６にネジ１２を螺合する。以上のようにして、図２に示す筐体３が構成されている。
【００２７】
なお、トップカバー５の天板部５ａには、組付後に、上述した開口部６や作業用の窓部１０を覆う図示しないラベルシールが貼り付けられる。これにより、筐体３の内部に塵埃等が侵入することを防止する。
【００２８】
筐体３の前面には、図２に示すように、略矩形平板状のフロントパネル１８が取り付けられている。このフロントパネル１８には、光ディスク２が水平方向に出し入れされるディスク挿脱口１９が設けられている。すなわち、光ディスク２は、このディスク挿脱口１９から筐体３の内部へと挿入したり、或いはこのディスク挿脱口１９から筐体３の外部へと排出したりすることが可能となっている。また、フロントパネル１８の前面には、光ディスク２に対するアクセス状態を点灯表示する表示部２０や、光ディスク２を排出する際に押圧されるイジェクトボタン２１が設けられている。
【００２９】
なお、フロントパネル１８の背面側には、このフロントパネル１８を筐体３の前面に取り付けるための複数の係止片が設けられている。また、ディスクドライブ装置１では、フロントパネル１８のディスク挿脱口１９から筐体３の内部に塵埃等が侵入するのを防止するため、このディスク挿脱口１９を覆うパネルカーテンが設けられている。
【００３０】
次いで、光ディスク２をチャッキングし回転駆動するとともに、情報信号の記録及び／又は再生を行うベースユニット４０について説明する。
【００３１】
ベースユニット４０は、図６に示すように、ボトムケース４の底面部に備えられ、ディスク挿脱口１９から筐体３の内部に挿入された光ディスク２が装着されるディスク装着部４１と、このディスク装着部４１に装着された光ディスク２を回転駆動するディスク回転駆動機構４２と、このディスク回転駆動機構４２により回転駆動される光ディスク２に対して信号の書き込み又は読み出しを行う光ピックアップ４３と、この光ピックアップ４３を光ディスク２の半径方向に送り動作させるピックアップ送り機構４４とを有し、これらがベース４５に一体に設けられた超薄型構造を有している。
【００３２】
このベースユニット４０は、ボトムケース４の底面部においてディスク装着部４１が略々中央に位置するように、シャーシ１１よりも前面側に配置されている。また、このベースユニット４０は、後述するベース昇降機構９０によって昇降可能とされており、光ディスク２が挿入される前の初期状態において、ディスク挿脱口１９から筐体３の内部に挿入される光ディスク２よりも下方に位置している。そして、ベースユニット４０は、光ディスク２が挿入されると、ベース昇降機構９０によって上昇され、光ディスク２をディスク装着部４１に装着し、回転駆動することによって光ピックアップ４３が情報信号の記録及び／又は再生を行う。次いで、光ディスク２を排出する際には、ベースユニット４０は、ベース昇降機構９０によって下降されることによりディスク装着部４１から光ディスク２が外れ、後述するディスク搬送機構６０によって搬送可能とする。
【００３３】
ベース４５は、板金を所定の形状に打ち抜き、その周囲を僅かに下方に折り曲げて形成されている。ベース４５の主面には、後述するディスク装着部４１のターンテーブル４７を上方へと臨ませる略半円状のテーブル用開口部４５ａと、後述する光ピックアップ４３の対物レンズ５１を上方へと臨ませる略矩形状のピックアップ用開口部４５ｂとが連続形成されている。なお、ベース４５の上面部には、これら開口部４５ａ，４５ｂに対応した開口部が形成された化粧板（図示せず。）が取り付けられる。
【００３４】
ディスク装着部４１は、ディスク回転駆動機構４２により回転駆動されるターンテーブル４７を有し、このターンテーブル４７の中心部には、光ディスク２を装着するためのチャッキング機構４８が設けられている。このチャッキング機構４８は、光ディスク２の中心孔２ａに係合される係合突部４８ａと、この係合突部４８ａに係合された光ディスク２の中心孔２ａの周囲を係止する複数の係止爪４８ｂとを有し、光ディスク２をターンテーブル４７上に保持する。
【００３５】
ディスク回転駆動機構４２は、光ディスク２をターンテーブル４７と一体に回転駆動する扁平状のスピンドルモータ４９を有し、このスピンドルモータ４９は、上面部に設けられたターンテーブル４７がベース４５のテーブル用開口部４５ａから僅かに突出するように、支持板５０を介してベース４５の下面にネジ止めにより取り付けられている。
【００３６】
光ピックアップ４３は、光源となる半導体レーザから出射された光ビームを対物レンズ５１により集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うものである。
【００３７】
この光ピックアップ４３は、対物レンズ５１を光軸方向（フォーカッシング方向という。）と、光ディスクの記録トラックと直交する方向（トラッキング方向という。）とに変位駆動する２軸アクチュエータ等の対物レンズ駆動機構を有し、上述した光検出器により検出された光ディスク２からの検出信号に基づいて、この２軸アクチュエータにより対物レンズ５１をフォーカッシング方向及びトラッキング方向に変位させながら、光ディスク２の信号記録面上に対物レンズ５１の焦点を合わせるフォーカスサーボや、対物レンズ５１により集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ５１により集光された光ビームを光ディスク２の信号記録面に垂直に照射させるように、光ディスク２の信号記録面に対する対物レンズ５１の傾き（スキュー）を調整可能とする３軸アクチュエータを用いてもよい。
【００３８】
ピックアップ送り機構４４は、光ピックアップ４３が搭載されたピックアップベース５３と、このピックアップベース５３を光ディスク２の半径方向にスライド可能に支持する一対のガイド軸５４ａ，５４ｂと、これら一対のガイド軸５４ａ，５４ｂに支持されたピックアップベース５３を光ディスク２の半径方向に変位駆動する変位駆動機構５５とを有している。
【００３９】
ピックアップベース５３には、一対のガイド軸５４ａ，５４ｂのうち、一方のガイド軸５４ａを挿通するガイド孔が形成された一対のガイド片５６ａ，５６ｂと、他方のガイド軸５４ｂを挟み込むガイド溝が形成されたガイド片５７とが互いに対向する側面から突出形成されている。これにより、ピックアップベース５３は、一対のガイド軸５４ａ，５４ｂにスライド可能に支持されている。
【００４０】
一対のガイド軸５４ａ，５４ｂは、ベース４５の下面に光ディスク２の半径方向と互いに平行となるように配置されており、ベース４５のピックアップ用開口部４５ｂから光ピックアップ４３が臨むピックアップベース５３を光ディスク２の内外周に亘って案内する。
【００４１】
変位駆動機構５５は、ベース４５に取り付けられた駆動モータ５８の回転駆動をギヤやラック（図示せず。）を介して直線駆動に変換し、ピックアップベース５３を一対のガイド軸５４ａ，５４ｂに沿った方向、すなわち光ディスク２の半径方向に変位駆動させる。
【００４２】
このディスクドライブ装置１は、図５に示すように、ディスク挿脱口１９から光ディスク２が挿脱されるディスク挿脱位置と、ディスク装着部４１のターンテーブル４７に光ディスク２が装着されるディスク装着位置との間で光ディスク２の搬送を行うディスク搬送機構６０を備えている。このディスク搬送機構６０は、天板部５ａのディスク装着部４１と対向する主面と、ディスク挿脱口１９から挿入された光ディスク２の主面との間で移動操作されるサポート部材として、当該ディスク２の主面と平行な面内で揺動可能とされた第１の回動アーム６１及び第２の回動アーム６２を有している。
【００４３】
これら第１の回動アーム６１及び第２の回動アーム６２は、ディスク装着部４１を挟んだ左右の両側に各々配置されており、それぞれディスク装着部４１よりも背面側に位置する基端部が回動可能に支持されると共に、ディスク装着部４１よりも前面側に位置する先端部がディスク挿脱口１９から挿入された光ディスク２の主面と平行な面内で互いに近接又は離間する方向に揺動可能となっている。
【００４４】
具体的に、第１の回動アーム６１は、長尺状の板金からなり、ディスク装着部４１のターンテーブル４７を挟んだ左右の一方側（例えば図５中の右側）に位置して、基端部がシャーシ１１上に設けられた第１の支軸６４を介して、矢印ａ１方向及び矢印ａ２方向に回動可能に支持されている。また、第１の回動アーム６１の先端部には、ディスク挿脱口１９から挿入された光ディスク２の外周部と当接される第１の前面側当接部材６５が下方に向かって突出して設けられている。また、第１の回動アーム６１の基端部近傍には、光ディスク２をディスク装着位置に位置決めする際に、第１の前面側当接部材６５と共に光ディスク２の外周部に当接される第１の背面側当接部材６６が下方に向かって突出して設けられている。
【００４５】
第１の前面側当接部材６５及び第１の背面側当接部材６６は、光ディスク２よりも柔らかい樹脂からなり、ディスク挿脱口１９から挿入された光ディスク２の外周部と当接される中央部分が内側に湾曲し、その両端部が拡径されたフランジ部６５ａ，６６ａとして光ディスク２の高さ方向の移動を規制する略鼓形形状を有している。また、これら第１の前面側当接部材６５及び第１の背面側当接部材６６は、第１の回動アーム６１のディスク装着部４１と対向する主面に回転可能に取り付けられた小径の回転ローラであってもよい。
【００４６】
一方、第２の回動アーム６２は、長尺状の板金からなり、ディスク装着部４１のターンテーブル４７を挟んだ左右の他方側（例えば図５中の左側）に位置して、基端部がシャーシ１１上に設けられた上記第１の支軸６４を介して、矢印ｂ１方向及び矢印ｂ２方向に回動可能に支持されている。また、第２の回動アーム６２の先端部には、ディスク挿脱口１９から挿入された光ディスク２の外周部に当接される第２の前面側当接部材６８が下方に向かって突出して設けられている。
【００４７】
第２の前面側当接部材６８は、光ディスク２よりも柔らかい樹脂からなり、ディスク挿脱口１９から挿入された光ディスク２の外周部と当接される中央部分が内側に湾曲し、その両端部が拡径されたフランジ部６８ａとして光ディスク２の高さ方向の移動を規制する略鼓形形状を有している。また、この第２の前面側当接部材６８は、第２の回動アーム６２のディスク装着部４１と対向する主面に回転可能に取り付けられた小径の回転ローラであってもよい。
【００４８】
また、第１の回動アーム６１及び第２の回動アーム６２の基端部には、これら回動アーム６１，６２を互いに近接する方向に付勢する付勢手段である捻りコイルバネ７０が設けられている。捻りコイルバネ７０は、その巻回部分に第１の支軸６４が挿通された状態で、一端部が第１の回動アーム６１の基端部に係止され、他端部が第２の回動アーム６２の基端部に係止されることによって、第１、第２の回動アーム６１，６２を互いに近接する方向に付勢している。また捻りコイルバネ７０は、第１、第２の回動アーム６１，６２を回動させて、径や重さの異なる複数種類の光ディスク２をいずれも筐体３内に引き込み、また筐体３外へ排出させるに十分な付勢力を備えている。
【００４９】
このように、第１の回動アーム６１と第２の回動アーム６２とは、ディスク装着部４１のターンテーブル４７を挟んで略対称となる位置に配置されており、互いの回動中心がディスク装着部４１よりも背面側の略中央部において一致している。また、第１の回動アーム６１の先端部及び第２の回動アーム６２の先端部は、上述した天板部５ａのガイド溝９に係合された状態で回動方向に沿ってスライド可能に支持されている。
【００５０】
ディスク搬送機構６０は、これら第１の回動アーム６１と第２の回動アーム６２とを連動させるための連動機構７１を有しており、この連動機構７１を介して第１の回動アーム６１と第２の回動アーム６２とが互いに逆向きに回動可能となっている。具体的に、この連動機構７１は、第１の回動アーム６１と第２の回動アーム６２とを連結する第１の連結アーム７２及び第２の連結アーム７３を有している。これら第１の連結アーム７２及び第２の連結アーム７３は、長尺状の板金からなり、それぞれの長手方向の一端部が第１の回動アーム６１の基端部と第２の回動アーム６２の基端部とに回動可能に支持され、それぞれの長手方向の他端部が第２の支軸７４を介して回動可能に支持された、いわゆるパンタグラフ構造を有している。また、第２の支軸７４は、シャーシ１１の第１の支軸６４よりも前面側に設けられたガイドスリット７５に係合されており、このガイドスリット７５は、光ディスク２の挿入方向に亘って直線状に形成されている。
【００５１】
したがって、第１の回動アーム６１と第２の回動アーム６２とは、第２の支軸７４がガイドスリット７５内をスライドすることで、第１の連結アーム７２及び第２の連結アーム７３を介して互いに逆向きに回動可能となっている。すなわち、第１の回動アーム６１の先端部と第２の回動アーム６２の先端部とは、このような連動機構７１によって、互いに近接又は離間する方向に揺動可能となっている。
【００５２】
また、ディスク搬送機構６０は、光ディスク２をディスク挿脱口１９から筐体３の内部へと引き込むローディング動作を補助するためのローディング補助手段として、ディスク挿脱口１９から挿入される光ディスク２の主面と平行な面内で揺動可能とされた第３の回動アーム７６を有している。第３の回動アーム７６は、長尺状の板金からなり、ディスク装着部４１のターンテーブル４７を挟んだ左右の一方側（例えば図５中左側）の第２の回動アーム６２よりも前面側に位置して、基端部がデッキ部４ａ上に設けられた支軸７７を介して、矢印ｃ１方向及び矢印ｃ２方向に回動可能に支持されている。また、第３の回動アーム７６の先端部には、ディスク挿脱口１９から挿入された光ディスク２の外周部に当接される第３の当接部材７８が上方に向かって突出して設けられている。
【００５３】
第３の当接部材７８は、第３の回動アーム７６の天板部５ａと対向する主面に回転可能に取り付けられた小径の回転ローラであり、光ディスク２よりも柔らかい樹脂からなる。また、この第３の当接部材７８は、ディスク挿脱口１９から挿入された光ディスク２の外周部と当接される中央部分が内側に湾曲し、その両端部が拡径されたフランジ部７８ａとして光ディスク２の高さ方向の移動を規制する略鼓形形状を有している。
【００５４】
かかる第３の回動アーム７６は、図示しない捩りコイルバネが係止されることにより、第３の当接部材７８が光ディスク２の外周部に当接される方向と、光ディスク２の外周部から離間する方向とに切り換え可能に付勢される。
【００５５】
また、ディスク搬送機構６０は、光ディスク２をディスク挿脱口１９から筐体３の外部へと排出するイジェクト動作を補助するためのイジェクト補助手段として、ディスク挿脱口１９から挿入される光ディスク２の主面と平行な面内で揺動可能とされた第４の回動アーム７９を有している。第４の回動アーム７９は、長尺状の板金からなり、ディスク装着部４１のターンテーブル４７を挟んだ左右の一方側（例えば図５中左側）の第２の回動アーム６２の中間部において、矢印ｄ１方向及び矢印ｄ２方向に回動可能に支持されている。また、第４の回動アーム７９の先端部には、ディスク挿脱口１９から挿入された光ディスク２の外周部の背面側に当接される第４の当接部材８０が上方に向かって突出して設けられている。
【００５６】
この第４の当接部材８０は、光ディスク２よりも柔らかい樹脂からなり、ディスク挿脱口１９から挿入された光ディスク２の外周部と当接される中央部分が内側に湾曲し、その両端部が拡径されたフランジ部８０ａとして光ディスク２の高さ方向の移動を規制する略鼓形形状を有している。また、この第４の当接部材８０は、第４の回動アーム７９の天板部５ａと対向する主面に回転可能に取り付けられた小径の回転ローラであってもよい。
【００５７】
また、第２の回動アーム６２には、この第４の回動アーム７９が背面側、すなわち矢印ｄ１方向に回動された際に、当該第４の回動アーム７９の背面側への回動を規制する規制片８１が設けられている。
【００５８】
このディスク搬送機構６０は、上述した各回動アーム６１，６２，７６，７９を協働させるための駆動レバー８２を有している。この駆動レバー８２は、全体が略直方体状に形成された樹脂部材からなり、ボトムケース４の底面部において、このボトムケース４の一方の側面部とベースユニット４０との間に配置されている。また、この駆動レバー８２は、ディスク挿脱口１９から筐体３の内部に挿入される光ディスク２よりも下方に位置しており、その上面部がデッキ部４ａの底面部と略一致した高さを有している。そして、この駆動レバー８２は、ボトムケース４の底面部に設けられた駆動モータやギヤ群等からなる図示を省略する変位駆動機構を介して前後方向にスライド駆動される。
【００５９】
そして、ディスク搬送機構６０では、この駆動レバー８２のスライド動作に連動して、上述した第２の支軸７４がガイドスリット７５内をスライドすることになる。これにより、第１の回動アーム６１及び第２の回動アーム６２は、連動機構７１を介して互いに逆向きに回動操作される。また、第３の回動アーム７６の基端側には、駆動レバー８２の上面に設けられたガイドスリット８３に係合されるガイドピン８４が設けられている。これにより、第３の回動アーム７６は、駆動レバー８２のスライド動作に連動して、ガイドピン８４がガイドスリット８３内をスライドすることで回動操作される。また、第４の回動アーム７９も、図示を省略する連結機構を介して駆動レバー８２のスライド動作に連動して回動操作される。
【００６０】
そして、このディスク搬送機構６０では、これら第１の回動アーム６１、第２の回動アーム６２、第３の回動アーム７６及び第４の回動アーム７９が互いに協働しながら、光ディスク２をディスク挿脱口から筐体３の内部へと引き込むローディング動作と、光ディスク２をディスク装着位置に位置決めするセンタリング動作と、光ディスク２をディスク挿脱口１９から筐体３の外部へと排出するイジェクト動作とを行う。
【００６１】
このディスクドライブ装置１は、図５に示すように、上述した駆動レバー８２のスライドに連動して、光ピックアップ４３を支持するベース４５を昇降操作するベース昇降機構９０を備えている。
【００６２】
このベース昇降機構９０は、ベース４５を上昇させて、ディスク装着位置に位置決めされた光ディスク２をディスク装着部４１のターンテーブル４７に装着するチャッキング位置と、ベース４５を下降させて、ディスク装着部４１のターンテーブル４７から光ディスク２を離脱するチャッキング解除位置と、ベース４５をチャッキング位置とチャッキング解除位置との間に位置させて、光ディスク２に対する信号の記録又は再生を行う中間位置との間でベース４５を昇降操作する。
【００６３】
具体的に、上述した駆動レバー８２のベース４５と対向する側面には、上記チャッキング位置、上記チャッキング解除位置及び上記中間位置に対応したカムスリット（図示せず。）が長手方向に亘って形成されている。
【００６４】
また、ボトムケース４の底面部には、ベース４５の背面側の側面に沿ってカムレバー９１が配置されている。このカムレバー９１は、長尺状の平板部材からなり、駆動レバー８２の前後方向のスライドに連動して、当該駆動レバー８２のスライド方向と略直交する方向にスライド操作される。また、このカムレバー９１の中間部には、ベース４５と対向する端縁部から上方に向かって折り曲げられたカム片９２が設けられている。このカム片９２には、上記チャッキング位置、上記チャッキング解除位置及び上記中間位置に対応したカムスリット（図示せず。）が長手方向に亘って形成されている。
【００６５】
また、ボトムケース４の底面部には、折曲げ片９３がベース４５の背面側の側面に沿って折り曲げ形成されている。この折曲げ片９３には、ベース４５を昇降させるための鉛直スリット（図示せず。）が上下方向に亘って形成されている。
【００６６】
これに対して、ベース４５は、図６に示すように、駆動レバー８２と対向する側面のディスク装着部４１側に位置して、駆動レバー８２のカムスリットに係合されて支持される第１の支軸９５と、カムレバー９１と対向する側面のディスク装着部４１側に位置して、カム片９２のカムスリット及び折曲げ片９３の鉛直スリットに係合されて支持される第２の支軸９６と、駆動レバー８２と対向する側面とは反対側の側面の前面側に位置して、ボトムケース４の他方側の側面に設けられた軸孔９７に回動可能に支持された第３の支軸９８と、カムレバー９１と対向する側面とは反対側の側面の前面側に位置して、ゴム等の粘弾性部材からなるインシュレータ９９を介してボトムケース４の底面部にネジ１００により固定支持された固定支持部１０１とを有している。
【００６７】
したがって、このベース昇降機構９０では、駆動レバー８２及びカムレバー９１のスライドに連動して、第１の支軸９５が駆動レバー８２のカムスリット内をスライドすると共に、第２の支軸９６がカムレバー９１のカムスリット及び折曲げ片９３の鉛直スリット内をスライドすることによって、ベース４５のディスク装着部４１側が前面側に対して、ボトムケース４の側面に支持された第３の支軸９８を回動支点として、上記チャッキング位置と上記チャッキング解除位置と上記中間位置との間で昇降操作される。
【００６８】
また、ボトムケース４の底面部には、図５に示すように、このベース昇降機構９０がベース４５を下降させたとき、ディスク装着部４１のターンテーブル４７上に装着された光ディスク２をターンテーブル４７から離脱させるためのチャッキング解除手段である押上ピン１０２が設けられている。この押上ピン１０２は、ベースユニット４０のディスク装着部４１近傍、具体的にはディスク装着部４１に最も近接したベース４５の背面側に位置して、ボトムケース４の底面部から上方に向かって突出して設けられている。
【００６９】
次に、以上のように構成されるディスクドライブ装置１の具体的な動作について説明する。このディスクドライブ装置１では、図７に示すように、光ディスク２が挿入される前の初期状態において、第１の回動アーム６１及び第２の回動アーム６２は、それぞれの先端部が所定の広がり角で開いた状態で保持されている。また、第３の回動アーム７６は、先端部が基端部よりも外側に位置し且つ先端部が基端部よりも前面側に位置した状態で保持されている。また、第４の回動アーム７９は、先端部が基端部よりも内側に位置し且つ先端部が基端部よりも前面側に位置した状態で保持されている。また、駆動レバー８２はボトムケース４の前面側に位置している。
【００７０】
このディスクドライブ装置１は、筐体３のディスク挿脱口１９から外径の異なる光ディスク２Ａ，２Ｂが挿入された場合であっても、これら光ディスク２Ａ，２Ｂをディスク装着位置まで引き込むローディング動作を行う。具体的に、筐体３のディスク挿脱口１９から大径ディスク２Ａが挿入された場合には、先ず、図８に示すように、ディスク挿脱口１９から筐体３の内部に挿入された大径ディスク２Ａの外周部の背面側が第１の回動アーム６１の第１の前面側当接部材６５及び第２の回動アーム６２の第２の前面側当接部材６８に当接された状態となる。
【００７１】
次に、図９に示すように、この状態から更に大径ディスク２Ａがディスク挿脱口１９から筐体３の内部に押し込まれると、第１の回動アーム６１と第２の回動アーム６２とが第１の前面側当接部材６５と第２の前面側当接部材６８との間で大径ディスク２Ａの外周部を挟み込む。このとき、第１の前面側当接部材６５と第２の前面側当接部材６８とが大径ディスク２Ａの外周部の背面側に当接された状態で、第１の回動アーム６１と第２の回動アーム６２とが捻りコイルバネの付勢に抗して互いに離間する方向、すなわち図９中に示す矢印ａ２，ｂ２の方向に回動される。
【００７２】
そして、第１の回動アーム６１及び第２の回動アーム６２が互いに離間する方向に所定量だけ回動されたとき、回路基板に設けられた検出スイッチが押圧されることによって、変位駆動機構による駆動レバー８２の背面側へのスライドが開始される。これにより、第３の回動アーム７６は、図９中に示す矢印ｃ１の方向に回動される。また、第３の回動アーム７６は、第３の当接部材７８が大径ディスク２Ａの外周部の前面側に当接された状態となることで、この大径ディスク２Ａの外周部の前面側を押圧しながら、大径ディスク２Ａを筐体３の内部へと引き込むことになる。
【００７３】
そして、図１０に示すように、大径ディスク２Ａの中心孔２ａが第１の前面側当接部材６５と第２の前面側当接部材６８とを結ぶ直線よりも背面側に位置するまで、大径ディスク２Ａが筐体３の内部に引き込まれると、第１の前面側当接部材６５と第２の前面側当接部材６８とが大径ディスク２Ａの外周部に沿って背面側から前面側へと回り込む。すると、今度は第１の前面側当接部材６５と第２の前面側当接部材６８とが大径ディスク２Ａの外周部の前面側に当接された状態で、第１の回動アーム６１と第２の回動アーム６２とが捻りコイルバネ７０に付勢されて互いに近接する方向、すなわち図１０中に示す矢印ａ１，ｂ１の方向に回動される。これにより、第１の回動アーム６１及び第２の回動アーム６２は、大径ディスク２Ａの外周部の前面側を押圧しながら、大径ディスク２Ａを図１１に示すディスク装着位置まで引き込むことになる。
【００７４】
また、第４の回動アーム７９は、第４の当接部材８０が大径ディスク２Ａの外周部の背面側に当接された状態で押圧されることによって、図１０中に示す矢印ｄ１の方向に回動される。そして、第４の回動アーム７９は、大径ディスク２Ａが図１１に示すディスク装着位置で引き込まれた際に、第２の回動アーム６２の規制片８１に当接され、その回動が規制された状態となる。
【００７５】
一方、筐体３のディスク挿脱口１９から小径ディスク２Ｂが挿入された場合には、先ず、図１２に示すように、ディスク挿脱口１９から筐体３の内部に挿入された小径ディスク２Ｂの外周部の背面側が第１の回動アーム６１の第１の前面側当接部材６５及び第２の回動アーム６２の第２の前面側当接部材６８に当接された状態となる。
【００７６】
次に、図１３に示すように、この状態から更に小径ディスク２Ｂがディスク挿脱口１９から筐体３の内部に押し込まれると、第１の回動アーム６１と第２の回動アーム６２とが第１の前面側当接部材６５と第２の前面側当接部材６８との間で小径ディスク２Ｂの外周部を挟み込む。このとき、第１の前面側当接部材６５と第２の前面側当接部材６８とが小径ディスク２Ｂの外周部の背面側に当接された状態で、第１の回動アーム６１と第２の回動アーム６２とが捻りコイルバネ７０の付勢に抗して互いに離間する方向、すなわち図１３中に示す矢印ａ２，ｂ２の方向に回動される。
【００７７】
そして、第１の回動アーム６１及び第２の回動アーム６２が互いに離間する方向に所定量だけ回動されたとき、回路基板に設けられた検出スイッチが押圧されることによって、変位駆動機構による駆動レバー８２の背面側へのスライドが開始される。これにより、第３の回動アーム７６は、図１３中に示す矢印ｃ１の方向に回動される。また、第３の回動アーム７６は、第３の当接部材７８が小径ディスク２Ｂの外周部の前面側に当接された状態となることで、この小径ディスク２Ｂの外周部の前面側を押圧しながら、小径ディスク２Ｂをディスク挿脱口１９から筐体３の内部へと引き込むことになる。
【００７８】
そして、図１４に示すように、小径ディスク２Ｂの中心孔２ａが第１の前面側当接部材６５と第２の前面側当接部材６８とを結ぶ直線よりも背面側に位置するまで、小径ディスク２Ｂが筐体３の内部に引き込まれると、第１の前面側当接部材６５と第２の前面側当接部材６８とが小径ディスク２Ｂの外周部に沿って背面側から前面側へと回り込む。すると、今度は第１の前面側当接部材６５と第２の前面側当接部材６８とが小径ディスク２Ｂの外周部の前面側に当接された状態で、第１の回動アーム６１と第２の回動アーム６２とが捻りコイルバネ７０に付勢されて互いに近接する方向、すなわち図１４中に示す矢印ａ１，ｂ１の方向に回動される。これにより、第１の回動アーム６１及び第２の回動アーム６２は、小径ディスク２Ｂの外周部の前面側を押圧しながら、小径ディスク２Ｂを図１５に示すディスク装着位置まで引き込むことになる。
【００７９】
また、第４の回動アーム７９は、第４の当接部材８０が小径ディスク２Ｂの外周部の背面側に当接された状態で押圧されることによって、図１４中に示す矢印ｄ１の方向に回動される。そして、第４の回動アーム７９は、小径ディスク２Ｂが図１５に示すディスク装着位置で引き込まれた際に、第２の回動アーム６２の規制片８１に当接され、その回動が規制された状態となる。
【００８０】
このディスクドライブ装置１では、図１１及び図１５に示すように、第１の回動アーム６１及び第２の回動アーム６２が、これら外径の異なる光ディスク２Ａ，２Ｂをディスク装着位置まで引き込んだ際に、第１の前面側当接部材６５、第１の背面側当接部材６６、第２の前面側当接部材６８、第４の当接部材８０の内側に光ディスク２Ａ，２Ｂを挟み込むことによって、これら外径の異なる光ディスク２Ａ，２Ｂをディスク装着位置に位置決めするセンタリング動作を行う。すなわちこれら外径の異なる光ディスク２Ａ，２Ｂの中心孔２ａと、ターンテーブル４７の係合突部４８ａとを当該光ディスク２の主面と直交する方向において一致させる。
【００８１】
次に、このディスクドライブ装置１では、上述した光ディスク２のセンタリング動作の後に、ベース昇降機構９０がベース４５を上昇させることによって、ディスク装着位置に位置決めされた光ディスク２をディスク装着部４１のターンテーブル４７に装着するチャッキング動作を行う。
【００８２】
具体的には、図１６に示すチャッキング解除位置からベース昇降機構９０によりベース４５が図１７に示すチャッキング位置まで上昇すると、ターンテーブル４７が回動傾斜されるとともに、係合突部４８ａがディスク装着位置に位置決めされた光ディスク２の中心孔２ａに係合突部４８ａが入り込み、光ディスク２の中心孔２ａの周囲を天板部５ａのチャッキングプレート７に押し付ける。このとき、上述したように、チャッキングプレート７は、ターンテーブル４７と対向する面に、チャッキング位置に回動傾斜されたターンテーブル４７と平行となるように傾斜角度が設けられた傾斜面７ａが形成されていることから、傾斜面７ａとターンテーブル４７とで、ディスク装着位置に位置決めされた光ディスク２の中心孔２ａの周辺部を均等な力で挟持し、係合突部４８ａを光ディスク２の中心孔２ａ内に挿通させることができる。
【００８３】
すなわち、チャッキングプレート７は、ターンテーブル４７のディスク装着位置と対向する面に、ベース４５の回動支点側から当該回動支点側と反対の先端側にかけて厚みが減少する上記傾斜面７ａが形成されているため、回動傾斜されたターンテーブル４７とともに光ディスク２と平行に当接し、中心孔２ａの周辺部を均等な力で挟持することができる。したがって、ターンテーブル４７の係合突部４８ａが光ディスク２の中心孔２ａに挿通する深さがベース４５の回動支点側と先端側とで等しくなり、係合突部４８ａに形成された複数の係止爪４８ｂがいずれもディスク上面に突出し、光ディスク２の中心孔２ａの周囲を係止することができ、光ディスク２を確実にターンテーブル４７にチャッキングすることができる。
【００８４】
以上のようにして、光ディスク２がターンテーブル４７上に保持されると、ベース４５は、ベース昇降機構９０により図１８に示す光ディスクに対して情報信号の記録及び／又は再生を行う中間位置まで下降する。
【００８５】
また、このディスクドライブ装置１では、上述したチャッキング動作の後に、図１９及び図２０に示すように、駆動レバー８２の背面側へのスライドに連動して、第１の回動アーム６１及び第２の回動アーム６２が互いに離間する方向、すなわち図１９及び図２０中に示す矢印ａ２，ｂ２の方向に僅かに回動される。このとき、第４の回動アーム７９は、規制片８１に当接されたまま、第２の回動アーム６２と一体に回動されることになる。また、第３の回動アーム７６は、駆動レバー８２の背面側へのスライドに連動して、図１９及び図２０中に示す矢印ｃ２の方向に僅かに回動される。これにより、ターンテーブル４７に保持された光ディスク２Ａ，２Ｂの外周部からは、第１の前面側当接部材６５、第１の背面側当接部材６６、第２の前面側当接部材６８、第３の当接部材７８、第４の当接部材８０が離間した状態となる。
【００８６】
このディスクドライブ装置１では、図１８、図１９及び図２０に示す状態から、上記パーソナルコンピュータ１０００から記録又は再生の指令が送られると、この指令に基づいて、光ディスク２に対して情報信号の記録又は再生が行われる。具体的には、スピンドルモータ４９が光ディスク２をターンテーブル４７と一体に回転駆動すると共に、ピックアップ送り機構４４によって光ピックアップ４３が外周側から内周側へ移動し、フォーカスサーボ制御とトラッキングサーボ制御がかかると、この光ディスク２のリードイン領域に記録されているＴＯＣデータの読み出しを行う。この後、情報信号を記録する場合にあっては、読み出したＴＯＣデータに基づいて、光ディスク２のプログラム領域内の所定のアドレスに、光ピックアップ４３が移動する。また、情報信号の再生時にあっては、指定されたデータが記録されたプログラム領域内のアドレスに、光ピックアップ４３が移動する。そして、この光ピックアップ４３が光ディスク２の所望の記録トラックに対して情報信号の書き込み又は読み出し動作を行う。
【００８７】
このディスクドライブ装置１では、フロントパネル１８に設けられたイジェクトボタン２１が押圧される、或いは上記パーソナルコンピュータ１０００からディスクドライブ装置１に対してイジェクトの指令が送られると、この指令に基づいて、先ず、変位駆動機構による駆動レバー８２の前面側へのスライドが開始される。
【００８８】
そして、図２１及び図２２に示すように、この駆動レバー８２の前面側へのスライドに連動して、第１の回動アーム６１及び第２の回動アーム６２が互いに近接する方向、すなわち図２１及び図２２中に示す矢印ａ１，ｂ１の方向に僅かに回動される。このとき、第４の回動アーム７９は、規制片８１に当接されたまま、第２の回動アーム６２と一体に回動されることになる。また、第３の回動アーム７６は、駆動レバー８２の前面側へのスライドに連動して、図２１及び図２２中に示す矢印ｃ１の方向に僅かに回動される。
【００８９】
これにより、ターンテーブル４７に保持された光ディスク２Ａ，２Ｂの外周部に、第１の前面側当接部材６５、第１の背面側当接部材６６、第２の前面側当接部材６８、第３の当接部材７８、第４の当接部材８０が当接された状態となる。なお、図２２に示す小径ディスク２Ｂの場合には、第４の当接部材８０が小径ディスク２Ｂの外周部から離間した状態となる。
【００９０】
次に、このディスクドライブ装置１では、ベース昇降機構９０がベース４５を上記チャッキング解除位置まで下降させることによって、ディスク装着部４１のターンテーブル４７から光ディスク２を離脱するチャッキング解除動作を行う。具体的には、ベース４５が上記チャッキング解除位置まで下降すると、押上ピン１０２の先端部がディスク装着部４１のターンテーブル４７に装着された光ディスク２の内周側の非信号記録領域に当接することによって、この光ディスク２を押し上げながら、光ディスク２の中心孔２ａと係合突部４８ａの係止爪４８ｂとの係合を解除し、ターンテーブル４７上から離脱させる。
【００９１】
次に、このディスクドライブ装置１では、ディスク装着部４１にある光ディスク２Ａ，２Ｂをディスク挿脱口１９から筐体３の外部へと排出するイジェクト動作を行う。具体的に、筐体３のディスク挿脱口１９から大径ディスク２Ａを排出する場合には、先ず、図２３に示すように、駆動レバー８２の前面側へのスライドに連動して、第４の回動アーム７９が図２３中に示す矢印ｄ２の方向に回動される。また、第４の回動アーム７９は、第４の当接部材８０が大径ディスク２Ａの外周部の背面側に当接された状態となることで、この大径ディスク２Ａの外周部の背面側を押圧しながら、大径ディスク２Ａを筐体３の外部へと押し出すことになる。
【００９２】
そして、図２４に示すように、大径ディスク２Ａの中心孔２ａが第１の前面側当接部材６５と第２の前面側当接部材６８とを結ぶ直線よりも前面側に位置するまで、大径ディスク２Ａが筐体３の外部へと排出されると、第１の前面側当接部材６５と第２の前面側当接部材６８とが大径ディスク２Ａの外周部に沿って前面側から背面側へと回り込む。すると、今度は第１の前面側当接部材６５と第２の前面側当接部材６８とが大径ディスク２Ａの外周部の背面側に当接された状態で、第１の回動アーム６１と第２の回動アーム６２とが捻りコイルバネ７０に付勢されて互いに近接する方向、すなわち図２４中に示す矢印ａ１，ｂ１の方向に回動される。これにより、第１の回動アーム６１及び第２の回動アーム６２は、大径ディスク２Ａの外周部の背面側を押圧しながら、大径ディスク２Ａを図２５に示すディスク挿脱位置、すなわち大径ディスク２Ａの中心孔２ａがディスク挿脱口１９から筐体３の外部に露出する位置まで押し出すことになる。
【００９３】
なお、第３の回動アーム７６は、第３の当接部材７８が大径ディスク２Ａの外周部に当接された状態で押圧されることによって、図２４中に示す矢印ｃ２の方向に回動される。
【００９４】
一方、筐体３のディスク挿脱口１９から小径ディスク２Ｂを排出する場合には、先ず、図２６に示すように、駆動レバー８２の前面側へのスライドに連動して、第４の回動アーム７９が図２６中に示す矢印ｄ２の方向に回動される。また、第４の回動アーム７９は、第４の当接部材８０が小径ディスク２Ｂの外周部の背面側に当接された状態となることで、この小径ディスク２Ｂの外周部の背面側を押圧しながら、小径ディスク２Ｂを筐体３の外部へと押し出すことになる。
【００９５】
そして、図２７に示すように、小径ディスク２Ｂの中心孔２ａが第１の前面側当接部材６５と第２の前面側当接部材６８とを結ぶ直線よりも前面側に位置するまで、小径ディスク２Ｂが筐体３の外部へと排出されると、第１の前面側当接部材６５と第２の前面側当接部材６８とが小径ディスク２Ｂの外周部に沿って前面側から背面側へと回り込む。すると、今度は第１の前面側当接部材６５と第２の前面側当接部材６８とが小径ディスク２Ｂの外周部の背面側に当接された状態で、第１の回動アーム６１と第２の回動アーム６２とが捻りコイルバネ７０に付勢されて互いに近接する方向、すなわち図２７中に示す矢印ａ１，ｂ１の方向に回動される。これにより、第１の回動アーム６１及び第２の回動アーム６２は、小径ディスク２Ｂの外周部の背面側を押圧しながら、小径ディスク２Ｂを図２８に示すディスク挿脱位置まで押し出すことになる。
【００９６】
なお、第３の回動アーム７６は、第３の当接部材７８が小径ディスク２Ｂの外周部に当接された状態で押圧されることによって、図２７中に示す矢印ｃ２の方向に回動される。
【００９７】
以上のようにして、第１の回動アーム６１及び第２の回動アーム６２によってディスク挿脱位置まで押し出された各光ディスク２は、フロントパネル１８のディスク挿脱口１９より筐体３外へ排出される。
【産業上の利用可能性】
【００９８】
なお、本発明は、上述したノート型パーソナルコンピュータ１０００に搭載されるスロットイン型のディスクドライブ装置１に適用したものに限定されるものではなく、光ディスクに対して情報信号の記録及び／又は再生を行う、家庭用、車載用のディスクドライブ装置やゲーム機等に対して広く適用可能である。
【図面の簡単な説明】
【００９９】
【図１】ディスクドライブ装置が搭載されたノート型パーソナルコンピュータの外観を示す斜視図である。
【図２】最適な排出位置に光ディスクを排出したディスクドライブ装置を示す外観斜視図である。
【図３】トップカバーを内面側から見た斜視図である。
【図４】チャッキングプレートとターンテーブルとで光ディスクを挟持することにより光ディスクをターンテーブルにチャッキングする様子を示す側面図である。
【図５】ディスクドライブ装置の構成を示す平面図である。
【図６】ベースユニットの構成を示す斜視図である。
【図７】ディスクドライブ装置の動作を説明するための図であり、初期状態を示す平面図である。
【図８】ディスクドライブ装置の動作を説明するための図であり、大径ディスクの挿入開始状態を示す平面図である。
【図９】ディスクドライブ装置の動作を説明するための図であり、大径ディスクの引き込み開始状態を示す平面図である。
【図１０】ディスクドライブ装置の動作を説明するための図であり、大径ディスクの引き込み時の引き込み状態を示す平面図である。
【図１１】ディスクドライブ装置の動作を説明するための図であり、大径ディスクのセンタリング状態を示す平面図である。
【図１２】ディスクドライブ装置の動作を説明するための図であり、小径ディスクの挿入開始状態を示す平面図である。
【図１３】ディスクドライブ装置の動作を説明するための図であり、小径ディスクの引き込み開始状態を示す平面図である。
【図１４】ディスクドライブ装置の動作を説明するための図であり、小径ディスクの引き込み時の引き込み状態を示す平面図である。
【図１５】ディスクドライブ装置の動作を説明するための図であり、小径ディスクのセンタリング状態を示す平面図である。
【図１６】ディスクドライブ装置の動作を説明するための図であり、ベースユニットがチャッキング解除位置にある状態を示す側面図である。
【図１７】ディスクドライブ装置の動作を説明するための図であり、ベースユニットがチャッキング位置にある状態を示す側面図である。
【図１８】ディスクドライブ装置の動作を説明するための図であり、ベースユニットが中間位置にある状態を示す側面図である。
【図１９】ディスクドライブ装置の動作を説明するための図であり、大径ディスクのチャッキング状態を示す平面図である。
【図２０】ディスクドライブ装置の動作を説明するための図であり、小径ディスクのチャッキング状態を示す平面図である。
【図２１】ディスクドライブ装置の動作を説明するための図であり、大径ディスクのチャッキング解除状態を示す平面図である。
【図２２】ディスクドライブ装置の動作を説明するための図であり、小径ディスクのチャッキング解除状態を示す平面図である。
【図２３】ディスクドライブ装置の動作を説明するための図であり、大径ディスクのイジェクト開始状態を示す平面図である。
【図２４】ディスクドライブ装置の動作を説明するための図であり、大径ディスクの排出時の押し出し状態を示す平面図である。
【図２５】ディスクドライブ装置の動作を説明するための図であり、大径ディスクのイジェクト状態を示す平面図である。
【図２６】ディスクドライブ装置の動作を説明するための図であり、小径ディスクのイジェクト開始状態を示す平面図である。
【図２７】ディスクドライブ装置の動作を説明するための図であり、小径ディスクの排出時の押し出し状態を示す平面図である。
【図２８】ディスクドライブ装置の動作を説明するための図であり、小径ディスクのイジェクト状態を示す平面図である。
【図２９】従来のディスクドライブ装置において、チャッキングプレートとターンテーブルとで光ディスクを挟持することにより光ディスクをターンテーブルにチャッキングする様子を示す側面図である。
【符号の説明】
【０１００】
１  ディスクドライブ装置、２  光ディスク、３  筐体、７  チャッキングプレート、７ａ  傾斜面、１８  フロントパネル、１９  ディスク挿脱口、４０  ベースユニット、４１  ディスク装着部、４２  ディスク回転駆動機構、４３  光ピックアップ、４４  ピックアップ送り機構、４５  ベース、４７  ターンテーブル、４８  チャッキング機構、４８ａ  係合突部、４８ｂ  係止爪、６１，６２  第１，第２の回動アーム、６４  第１の支軸、７０  捻りコイルバネ、７１  連結機構、９０  ベース昇降機構
【図１】
2006065956.tif 000003
【図２】
2006065956.tif 000004
【図３】
2006065956.tif 000005
【図４】
2006065956.tif 000006
【図５】
2006065956.tif 000007
【図６】
2006065956.tif 000008
【図７】
2006065956.tif 000009
【図８】
2006065956.tif 000010
【図９】
2006065956.tif 000011
【図１０】
2006065956.tif 000012
【図１１】
2006065956.tif 000013
【図１２】
2006065956.tif 000014
【図１３】
2006065956.tif 000015
【図１４】
2006065956.tif 000016
【図１５】
2006065956.tif 000017
【図１６】
2006065956.tif 000018
【図１７】
2006065956.tif 000019
【図１８】
2006065956.tif 000020
【図１９】
2006065956.tif 000021
【図２０】
2006065956.tif 000022
【図２１】
2006065956.tif 000023
【図２２】
2006065956.tif 000024
【図２３】
2006065956.tif 000025
【図２４】
2006065956.tif 000026
【図２５】
2006065956.tif 000027
【図２６】
2006065956.tif 000028
【図２７】
2006065956.tif 000029
【図２８】
2006065956.tif 000030
【図２９】
2006065956.tif 000031